(57)【要約】【課題】汎用のスイッチを流用してコストを削減するとともに、汎用のスイッチを組み合わせることにより薄型化したスイッチ装置を提供することである。【解決手段】スイッチ装置１２は、押下又はスライド操作されるツマミ部１３ａと、ツマミ部１３ａの両側に位置して弾性を有するＵ字型のヒンジ部１３ｅ、１３ｆと、両ヒンジ部１３ｅ、１３ｆ間であってツマミ部１３ａの反対面に形成された３つの突起１３ｉ〜１３ｋと、が一体となった操作ツマミ１３と、第１の突起１３ｉに対向して基板１４上に設けられ、第１の突起１３ｉで押される第１のスイッチ１５と、第２の突起１３ｊの側面に対向して基板１４上に設けられ、第２の突起１３ｊの側面で押される第２のスイッチ１６と、第３の突起１３ｋの側面に対向して基板１４上に設けられ、第３の突起１３ｋの側面で押される第３のスイッチ１７とから構成される。【選択図】      図２
2004281104.tif 000002
【特許請求の範囲】
【請求項１】
３つのスイッチを備えたスイッチ装置において、
押下又はスライド操作されるツマミ部と、該ツマミ部の両側に位置して弾性を有するヒンジ部と、両ヒンジ部間であってツマミ部の反対面に形成された３つの突起と、が一体となった操作ツマミと、
前記突起の１つである第１の突起に対向して基板上に設けられ、第１の突起で押される第１のスイッチと、
前記突起の１つである第２の突起の側面に対向して基板上に設けられ、第２の突起の側面で押される第２のスイッチと、
前記突起の１つである第３の突起の側面に対向して基板上に設けられ、第３の突起の側面で押される第３のスイッチと、を備えたことを特徴とするスイッチ装置。
【請求項２】
前記ヒンジ部は、弾性を有するようにＵ字型に薄肉形成されたことを特徴とする請求項１記載のスイッチ装置。
【請求項３】
前記基板の第２及び第３の突起に対向する位置に孔を形成し、前記操作ツマミが押下されたときに第２及び第３の突起が該孔に係合することを特徴とする請求項１又は２記載のスイッチ装置。
【請求項４】
請求項１〜３の何れかに記載のスイッチ装置を搭載した電子機器。
【発明の詳細な説明】
【０００１】
【発明の属する技術分野】
本発明は、電子機器のスイッチ装置に関するものである。
【０００２】
【従来の技術】
スイッチは電子機器に不可欠なものであり、その機構はボタンを押下するものやスライドするものなど、用途に合った様々な形態が採用されている。
【０００３】
例えば、携帯用の小型カセットプレーヤには、再生ボタン、停止ボタン、早送りボタン、巻戻しボタン、ホールドボタンなどの操作スイッチが設けられている。特許文献１では、複数種の操作部材（各種ボタン）を一体成形することにより、１つの部品として扱うことを可能としている。即ち、操作方向の異なる複数種の操作部材が筐体に取り付けられてなる装置において、複数種の操作部材を接続部を介して一体に成形し、この一体成形品を筐体に取り付けると同時に接続部を切断して、複数種の操作部材をそれぞれ所定の方向に操作可能に分離する構造としている。
【０００４】
また、１つのボタンが複数方向に可動であったり、複数段階に押下可能であったりして、１つのスイッチ装置で複数の操作が可能となっているものもある。
【０００５】
例えば、３方向の操作が可能なスイッチ装置について説明する。図６は電子機器１００の概略外観斜視図である。スイッチ装置１０２の操作ツマミ１０３が筐体１０１の外部に突出している。操作ツマミ１０３は剛性体からなり、矢印Ｂ、Ｃ、Ｄ方向に可動である。
【０００６】
図７は、スイッチ装置１０２の分解斜視図である。基板１０４上にスイッチユニット１０５が配設されている。このスイッチユニット１０５のシャフト１０５ａが矢印Ｂ、Ｃ、Ｄ方向に可動となっている。また、操作ツマミ１０３はユーザが操作するツマミ部１０３ａと、ツマミ部の周囲に形成されたつば部１０３ｂとが一体成形されている。
【０００７】
図８（ａ）はスイッチ装置１０２の平面図、図８（ｂ）はスイッチ装置１０２の立面図である。操作ツマミ１０３の裏面に係合部１０３ｃが形成されており、シャフト１０５ａと係合することにより、操作ツマミ１０３が固定されている。
【０００８】
図９は操作ツマミ１０３が押下された状態の立面図である。図８（ｂ）の状態からユーザによりツマミ部１０３ａが押下（矢印Ｂ方向に操作）されると、係合部１０３ｃに係合しているシャフト１０５ａが押下される。
【０００９】
図１０は操作ツマミ１０３が矢印Ｃ方向に操作された状態の立面図である。図８（ｂ）の状態からユーザによりツマミ部１０３ａが矢印Ｃ方向に操作されると、係合部１０３ｃに係合しているシャフト１０５ａが矢印Ｃ方向に移動する。
【００１０】
図１１は操作ツマミ１０３が矢印Ｄ方向に操作された状態の立面図である。図８（ｂ）の状態からユーザによりツマミ部１０３ａが矢印Ｄ方向に操作されると、係合部１０３ｃに係合しているシャフト１０５ａが矢印Ｄ方向に移動する。
【００１１】
図９〜図１１に示したように、操作ツマミ１０３の矢印Ｂ、Ｃ、Ｄ方向の操作に連動してシャフト１０５ａが移動し、３方向のスイッチとして機能する。
【００１２】
【特許文献１】
特開平９−２１９１２４号公報
【００１３】
【発明が解決しようとする課題】
特許文献１では、複数種の操作部材を一体成形することにより工数を削減しているが、それぞれの操作部材は１つのスイッチとして使用されているので、大きな配置スペースが必要となりデザインが煩雑になる。
【００１４】
また、図６〜図１１のスイッチ装置１０２では、スイッチユニット１０５が３方向に可動するので専用のユニットが必要になりコストがかかるとともに、ユニットのサイズが大きくなりデザイン上の制約が生じる。更に、図１０又は図１１のようにシャフト１０５ａがスライドしている状態で矢印Ｂ方向に押下されると、スイッチユニット１０５に負荷がかかり破損の原因となる。
【００１５】
本発明は、上記の問題点に鑑み、汎用のスイッチを流用してコストを削減するとともに、汎用のスイッチを複数組み合わせることにより薄型化したスイッチ装置を提供することを目的とする。また、このスイッチ装置を搭載した電子機器を提供することも目的とする。
【００１６】
【課題を解決するための手段】
上記目的を達成するために本発明は、３つのスイッチを備えたスイッチ装置において、押下又はスライド操作されるツマミ部と、該ツマミ部の両側に位置して弾性を有するヒンジ部と、両ヒンジ部間であってツマミ部の反対面に形成された３つの突起と、が一体となった操作ツマミと、前記突起の１つである第１の突起に対向して基板上に設けられ、第１の突起で押される第１のスイッチと、前記突起の１つである第２の突起の側面に対向して基板上に設けられ、第２の突起の側面で押される第２のスイッチと、前記突起の１つである第３の突起の側面に対向して基板上に設けられ、第３の突起の側面で押される第３のスイッチと、を備えたことを特徴とするものである。
【００１７】
この構成によれば、ユーザによりツマミ部が押下又はスライドされると、ヒンジが撓んで第１〜第３の突起の何れかがそれに対応した第１〜第３のスイッチを押す。そして、ユーザがツマミ部から指を離すと、ヒンジ部が元に戻り、操作ツマミ１３も元の位置に戻る。
【００１８】
上記の第１〜第３のスイッチには汎用のスイッチを用いることができるので、コストを削減するとともに、従来例のスイッチユニットを用いる場合よりもスイッチ装置を薄型化することができる。
【００１９】
また上記のスイッチ装置において、前記ヒンジ部が、弾性を有するようにＵ字型に薄肉形成することができる。Ｕ字型とすることにより、伸び側・縮み側の何れの撓みに対しても良い弾性を示し、強度ももたせることができる。
【００２０】
また上記のスイッチ装置において、前記基板の第２及び第３の突起に対向する位置に孔を形成し、前記操作ツマミが押下されたときに第２及び第３の突起が該孔に係合するようにしてもよい。
【００２１】
この構成によれば、操作ツマミが押下されている状態では、第２及び第３の突起が孔に係合しているので操作ツマミをスライドさせることができない。従って、第１のスイッチが押下されている状態で第２のスイッチ又は第３のスイッチが操作されることがない。また、第１のスイッチと第１の突起がスライドにより擦れることがないので、第１のスイッチや突起の破損を防ぐことができる。
【００２２】
また本発明の電子機器は、上記の何れかに記載のスイッチ装置を搭載するものである。
【００２３】
【発明の実施の形態】
以下に本発明の実施形態について図面を参照して説明する。図１は、スイッチ装置１２の分解斜視図、図２（ａ）はスイッチ装置１２の平面図、図２（ｂ）はスイッチ装置１２の立面図である。ここで、スイッチ装置１２は従来例の図６と同様、電子機器１００に搭載されるものとする。
【００２４】
基板１４上に３つのスイッチ１５〜１７が配設されている。スイッチ１５は円形の面１５ａが押下されることによりＯＮとなる。スイッチ１５を中心として直線上に配設されるスイッチ１６、１７はスイッチ１５側の側面にシャフト１６ａ、１７ａを有しており、このシャフト１６ａ、１７ａが押されることによりＯＮとなる。これらスイッチ１５〜１７には汎用のスイッチを用いることができ、ＯＮ／ＯＦＦの単機能しか有さないので従来例で示したスイッチユニット１０５よりも小さく、薄型である。
【００２５】
また、スイッチ１５とスイッチ１６との間の基板１４には孔１８が形成され、スイッチ１５とスイッチ１７との間の基板１４には孔１９が形成される。これら孔１８、１９は後述する第２及び第３の突起１３ｊ、１３ｋを係止するためのものである。
【００２６】
樹脂や金属からなる操作ツマミ１３は、押下又はスライド操作されるツマミ部１３ａと、ツマミ部１３ａの周囲に形成された平板状のつば部１３ｂと、電子機器１００の筐体１０１に固定される固定板１３ｃ、１３ｄと、つば部１３ｂと固定板１３ｃ、１３ｄとの間に位置して弾性を有するようにＵ字型に薄肉形成されたヒンジ部１３ｅ、１３ｆと、ヒンジ部１３ｅ、１３ｆとつば部１３ｂ又は固定板１３ｃ、１３ｄとを繋ぐ連結部１３ｇ、１３ｈと、ツマミ部１３ａの反対面にスイッチ１５に対向して形成された第１の突起１３ｉと、つば部１３ｂの基板１４側に孔１８、１９に対向して形成された第２及び第３の突起１３ｊ、１３ｋと、が一体に形成されている。
【００２７】
なお、ヒンジ部１３ｅ、１３ｆは矢印Ａ〜Ｄ方向に弾性を有する構造であれば特に限定はなく、例えば、Ｕ字型を複数連ねた形状やＬ字型やＶ字型にしてもよい。特にＵ字型とすることにより、伸び側・縮み側の何れの撓みに対しても良い弾性を示し、強度ももたせることができる。
【００２８】
スイッチ装置１２が組立てられた状態では、第１の突起１３ｉはスイッチ１５の上方に位置する。また、第２の突起１３ｊは孔１８の上方に位置し、第２の突起の側面方向にシャフト１６ａが位置する。第３の突起１３ｋと孔１９及びシャフト１７ａとの位置関係も同様である。以下に、このような状態のスイッチ装置１２を操作するときの各部の動作を説明する。
【００２９】
図３は操作ツマミ１３が押下された状態の立面図である。図２（ｂ）の状態からユーザによりツマミ部１３ａが押下（矢印Ｂ方向に操作）されると、ヒンジ部１３ｅ、１３ｆが撓んで第１の突起１３ｉがスイッチ１５を押下する。同時に第２及び第３の突起１３ｊ、１３ｋが孔１８、１９に係合する。そして、ユーザがツマミ部１３ａから指を離すと、ヒンジ部１３ｅ、１３ｆが元のＵ字型に戻り、操作ツマミ１３も元の位置に戻る（図２（ｂ）の状態）。
【００３０】
このように、操作ツマミ１３が押下されている状態では、第２及び第３の突起１３ｊ、１３ｋが孔１８、１９に係合しているので操作ツマミ１３を矢印Ｃ又はＤ方向に動かすことができない。従って、スイッチ１５が押下されている状態でスイッチ１６又はスイッチ１７が操作されることがない。また、スイッチ１５と第１の突起１３ｉが矢印Ｃ又はＤ方向に擦れることがないので、スイッチ１５や突起１３ｉの破損を防ぐことができる。
【００３１】
図４は操作ツマミ１３が矢印Ｃ方向に操作された状態の立面図である。図２（ｂ）の状態からユーザによりツマミ部１３ａが矢印Ｃ方向に操作されると、ヒンジ部１３ｅ、１３ｆが撓んで、第２の突起１３ｊがシャフト１６ａを押してスイッチ１６を操作する。そして、ユーザがツマミ部１３ａから指を離すと、ヒンジ部１３ｅ、１３ｆが元のＵ字型に戻り、操作ツマミ１３も元の位置に戻る（図２（ｂ）の状態）。
【００３２】
図５は操作ツマミ１３が矢印Ｄ方向に操作された状態の立面図である。図２（ｂ）の状態からユーザによりツマミ部１３ａが矢印Ｄ方向に操作されると、ヒンジ部１３ｅ、１３ｆが撓んで、第３の突起１３ｋがシャフト１７ａを押してスイッチ１７を操作する。そして、ユーザがツマミ部１３ａから指を離すと、ヒンジ部１３ｅ、１３ｆが元のＵ字型に戻り、操作ツマミ１３も元の位置に戻る（図２（ｂ）の状態）。
【００３３】
このように、操作ツマミ１３が矢印Ｃ又はＤ方向にスライドされている状態では、第２及び第３の突起１３ｊ、１３ｋと基板１４との隙間が僅かであるので、操作ツマミ１３が矢印Ｂ方向に押されても第２及び第３の突起１３ｊ、１３ｋが基板１４に接触するだけでほとんど動かない。従って、スイッチ１６又はスイッチ１７が操作されている状態でスイッチ１５が押下されることはない。
【００３４】
図１〜図５に示したように、操作ツマミ１３の矢印Ｂ、Ｃ、Ｄ方向の操作によって各スイッチ１５〜１７が動作するので、スイッチ装置１２は３方向のスイッチとして機能する。
【００３５】
なお、孔１８、１９は必ずしも必要ではなく、孔１８、１９を設けない場合は第２及び第３の突起１３ｊ、１３ｋを短くして、ツマミ部１３ａが押下されたときに第２及び第３の突起１３ｊ、１３ｋと基板１４が干渉しないようにすればよい。
【００３６】
このスイッチ装置１２は、ＭＤ装置等の音響機器に使用して曲名の選択に利用でき、矢印Ｃ方向へスライドさせることによる送り機能、矢印Ｄ方向へスライドさせることによる戻り機能、操作ツマミ１３を押下することによる決定機能を割り当てることができる。またテレビのリモコンスイッチとしてチャンネルの選択に利用することもできる。更に、携帯電話機や固定電話機に使用して登録先名の選択に利用することもできる。
【００３７】
また本発明は上記の他にも、各種電子機器に利用することができる。
【００３８】
【発明の効果】
本発明によると、３つのスイッチを１つの操作ツマミで操作できる構成にするために、汎用のスイッチを流用してコストを削減するとともに、汎用のスイッチを組み合わせることにより薄型化を実現している。
【図面の簡単な説明】
【図１】本発明のスイッチ装置の分解斜視図である。
【図２】（ａ）本発明のスイッチ装置の平面図である。
（ｂ）本発明のスイッチ装置の立面図である。
【図３】本発明のスイッチ装置の操作ツマミが押下された状態の立面図である。
【図４】本発明のスイッチ装置の操作ツマミが矢印Ｃ方向に操作された状態の立面図である。
【図５】本発明のスイッチ装置の操作ツマミが矢印Ｄ方向に操作された状態の立面図である。
【図６】従来の電子機器の概略外観斜視図である。
【図７】従来のスイッチ装置の分解斜視図である。
【図８】（ａ）従来のスイッチ装置の平面図、
（ｂ）従来のスイッチ装置の立面図である。
【図９】従来のスイッチ装置の操作ツマミが押下された状態の立面図である。
【図１０】従来のスイッチ装置の操作ツマミが矢印Ｃ方向に操作された状態の立面図である。
【図１１】従来のスイッチ装置の操作ツマミが矢印Ｄ方向に操作された状態の立面図である。
【符号の説明】
１２    スイッチ装置
１３    操作ツマミ
１３ａ    ツマミ部
１３ｅ、１３ｆ    ヒンジ部
１３ｉ    第１の突起
１３ｊ    第２の突起
１３ｋ    第３の突起
１４    基板
１５    第１のスイッチ
１６    第２のスイッチ
１７    第３のスイッチ
１８、１９    孔
１００    電子機器
【図１】
2004281104.tif 000003
【図２】
2004281104.tif 000004
【図３】
2004281104.tif 000005
【図４】
2004281104.tif 000006
【図５】
2004281104.tif 000007
【図６】
2004281104.tif 000008
【図７】
2004281104.tif 000009
【図８】
2004281104.tif 000010
【図９】
2004281104.tif 000011
【図１０】
2004281104.tif 000012
【図１１】
2004281104.tif 000013